(57)【要約】【課題】低消費電力、低製造原価により、洗浄効果を向上させた洗濯機を提供すること。【解決手段】念入り洗いコースにおいて、布量検知手段２８にて検知した布量に対応する水位と、水位に対応する標準洗剤量の略２倍の洗剤量とを表示するとともに、前記水位の略１／２まで洗剤と共に給水しながら前記洗濯兼脱水槽１を所定時間回転させた後、前記パルセータ２による攪拌動作を行ない、その後、所定のつけおき行程を行なった後、洗い行程において、布量に対応した水位まで給水して運転する構成とすることにより、低水位で、洗剤濃度が濃い状態で運転することで、洗濯物に洗剤液が十分浸透した後、洗濯物とパルセータ２が強く接触することとなり、製造原価を抑えつつ、機械力と洗剤力により洗浄効果を高めることができる。【選択図】図１
2017205340.tif 000002
【特許請求の範囲】
【請求項１】
外枠と、前記外枠内部に防振支持される水槽と、前記水槽内に回転自在に支持される洗濯兼脱水槽と、前記洗濯兼脱水槽を回転駆動するモータと、前記外枠上部に設けられた上部枠体と、前記上部枠体に設けられ、念入り洗いコースなどの運転コースの設定などを行なう入力設定手段および前記入力設定手段の入力設定情報などを表示する表示手段を備える操作表示部と、前記水槽内の水位を検知する水位検知手段と、衣類の量を検知する布量検知手段と、前記モータ、給水弁、排水弁等を制御し、洗い、すすぎ、脱水の一連の行程を逐次制御する制御手段とを備え、前記制御手段は、念入り洗いコースにおいて、前記布量検知手段にて検知した布量に対応する水位と、水位に対応する標準洗剤量の略２倍の洗剤量とを表示するとともに、前記水位より低い所定水位まで洗剤と共に給水しながら攪拌動作を行ない、その後、所定のつけおき行程を行なった後、洗い行程において、布量に対応した水位まで給水して運転する洗濯機。
【請求項２】
洗濯水の濁度を検知する濁度検知手段を備え、制御手段は、念入り洗いコースの洗い行程において、濁度検知手段にて検知した結果により、所定量の排水を行なった後、排水前の水位まで給水して再度洗い行程を行なう請求項１に記載の洗濯機。
【請求項３】
洗濯水の温度を検知する温度検知手段を備え、制御手段は、念入り洗いコースの洗い行程において、温度検知手段にて検知した水槽内の洗濯液の温度検知結果により、モータによる攪拌強さを可変する請求項１または２に記載の洗濯機。
【発明の詳細な説明】
【技術分野】
【０００１】
本発明は、洗い、すすぎ、脱水行程を行なう洗濯機に関するものである。
【背景技術】
【０００２】
従来、この種の洗濯機は、溶解した洗濯液より発生した泡を回転遠心力により上方に揚水し、洗濯兼脱水槽内の洗濯物に上方から高速で泡をかけることで、高い洗浄力を確保すると共に、洗いむらを低減させる構成が提案されている（例えば、特許文献１参照）。
【０００３】
図５は、特許文献１に記載された従来の洗濯機の縦断面図、図６は、同洗濯機の外槽の一部切欠きした斜視図である。
【０００４】
図５、図６において、外槽４１の内面には、外槽４１の内底部４１ａよりも上方に位置する泡室６５を構成しており、泡室６５の上部のパッキン４５を介して外槽カバー４６に形成した蓋部６６で泡室６５上部を密閉し、蓋部６６の一部は循環経路６７の一部を形成しており、循環経路６７の先端には、泡吐出部６８を設けている。泡室６５の底面を構成する案内板６９は、泡行程時の内槽４２の回転方向に向かって上方に湾曲するように形成している。
【０００５】
洗濯物と洗剤投入後に行程運転を開始すると、給水が始まり、洗濯兼脱水槽４２内が所定水位になると、洗い動作を開始する。洗い動作では、洗濯兼脱水槽４２を回転させることで、洗濯兼脱水槽４２と外槽４１の間の洗濯液に大量の空気を送り込んで洗濯液と空気を混合させ、大量の泡を発生させる。そして、発生した大量の泡は、比重が軽いため、洗濯液の上部に移動し、外槽４１の内側を回転しながら勢いよく泡室６５に入ってくる。泡室６５に入ってきた泡は、案内板６９に沿ってその速度成分を水平方向から垂直方向に変換されて上方に揚水され、循環経路６７を通して泡吐出部６８から内槽４２内の洗濯物に向けて上方より吐出される。これにより、洗い動作の泡洗浄行程が進行する。
【先行技術文献】
【特許文献】
【０００６】
【特許文献１】特開２００４−３３７３３３号公報
【発明の概要】
【発明が解決しようとする課題】
【０００７】
しかしながら、前記従来の構成では、泡が多量に発生している状態で洗濯兼脱水槽を高速で回転させるために、モータに掛かる負荷が大きくなるという課題があった。
【０００８】
また、泡を揚水するための構造として、外槽に専用の循環経路を設けるなど多くの部品構成が必要であり、構造が複雑化するという課題もあった。
【０００９】
本発明は、前記従来の課題を解決するもので、低い消費電力で、簡単な構成により、洗浄効果を向上させる洗濯機を提供することを目的とする。
【課題を解決するための手段】
【００１０】
前記従来の課題を解決するために、本発明の洗濯機は、外枠と、前記外枠内部に防振支持される水槽と、前記水槽内に回転自在に支持される洗濯兼脱水槽と、前記洗濯兼脱水槽を回転駆動するモータと、前記外枠上部に設けられた上部枠体と、前記上部枠体に設けられ、念入り洗いコースなどの運転コースの設定などを行なう入力設定手段および前記入力
設定手段の入力設定情報などを表示する表示手段を備える操作表示部と、前記水槽内の水位を検知する水位検知手段と、衣類の量を検知する布量検知手段と、前記モータ、給水弁、排水弁等を制御し、洗い、すすぎ、脱水の一連の行程を逐次制御する制御手段とを備え、前記制御手段は、念入り洗いコースにおいて、前記布量検知手段にて検知した布量に対応する水位と、水位に対応する標準洗剤量の略２倍の洗剤量とを表示するとともに、前記水位より低い所定水位まで洗剤と共に給水しながら攪拌動作を行ない、その後、所定のつけおき行程を行なった後、洗い行程において、布量に対応した水位まで給水して運転する構成としたものである。
【００１１】
これによって、低水位の洗剤濃度が濃い状態で運転することで、洗濯物に洗剤液が十分浸透した後、洗濯物を洗濯することができ、洗浄効果を高めることができる。
【発明の効果】
【００１２】
本発明に係る洗濯機は、泡が多量に発生している状態で洗濯行程を行うことができ、洗浄効果を向上させることができる。
【図面の簡単な説明】
【００１３】
【図１】本発明の実施の形態における洗濯機の縦断面図
【図２】同洗濯機のブロック回路図
【図３】同洗濯機の動作フローチャート
【図４】同洗濯機の水位と洗剤濃度の関係を表すグラフ図
【図５】従来の洗濯機の縦断面図
【図６】同洗濯機の外槽の一部切欠きした斜視図
【発明を実施するための形態】
【００１４】
第１の発明は、外枠と、前記外枠内部に防振支持される水槽と、前記水槽内に回転自在に支持される洗濯兼脱水槽と、前記洗濯兼脱水槽を回転駆動するモータと、前記外枠上部に設けられた上部枠体と、前記上部枠体に設けられ、念入り洗いコースなどの運転コースの設定などを行なう入力設定手段および前記入力設定手段の入力設定情報などを表示する表示手段を備える操作表示部と、前記水槽内の水位を検知する水位検知手段と、衣類の量を検知する布量検知手段と、前記モータ、給水弁、排水弁等を制御し、洗い、すすぎ、脱水の一連の行程を逐次制御する制御手段とを備え、前記制御手段は、念入り洗いコースにおいて、前記布量検知手段にて検知した布量に対応する水位と、水位に対応する標準洗剤量の略２倍の洗剤量とを表示するとともに、前記水位より低い所定水位まで洗剤と共に給水しながら攪拌動作を行ない、その後、所定のつけおき行程を行なった後、洗い行程において、布量に対応した水位まで給水して運転する構成とするものである。
【００１５】
これにより、低水位の洗剤濃度が濃い状態で運転することにより、洗濯物に洗剤液が十分浸透した後に、洗濯行程を行うことになり、洗浄効果を高めることができる。
【００１６】
第２の発明は、特に、第１の発明において、洗濯水の濁度を検知する濁度検知手段を備え、制御手段は、念入り洗いコースの洗い行程において、濁度検知手段にて検知した結果により、所定量の排水を行なった後、排水前の水位まで給水して再度洗い行程を行なうものである。
【００１７】
これにより、汚れが洗濯物に再付着するのを抑制し、洗浄効果を高めることができる。
【００１８】
第３の発明は、第１または第２の発明において、洗濯水の温度を検知する温度検知手段を備え、制御手段は、念入り洗いコースの洗い行程において、温度検知手段にて検知した水槽内の洗濯液の温度検知結果により、モータによる攪拌強さを可変するものである。
【００１９】
これにより、水槽内での泡立ちを抑制しつつ、低い消費電力で、洗浄効果を高めることができる。
【００２０】
以下、本発明の実施の形態について、図面を参照しながら説明する。なお、この実施の形態によって本発明が限定されるものではない。
【００２１】
（実施の形態１）
図１は、本発明の実施の形態における洗濯機の縦断面図、図２は同洗濯機のブロック回路図である。
【００２２】
図１において、洗濯兼脱水槽１には、中央底部にパルセータ２が回転自在に配されており、洗濯兼脱水槽１は、水槽３に回転自在に内包され、水槽３の外底部には、基板４が固着されている。水槽３は、外枠５の上部角隅より防振装置６を介して支持されている。なお、パルセータ２の裏面には、裏羽根３３が形成されている。
【００２３】
基板４底部には、モータ８が配設されており、モータ８は、回転力をベルト９および機構駆動部１０を介して回転軸７に伝達し、パルセータ２あるいは洗濯兼脱水槽１を回転駆動するようになっている。また、洗濯兼脱水槽１の底部には、フランジ１１が固定されており、フランジ１１により洗濯兼脱水槽１の底部と回転軸７とを連結支持している。
【００２４】
また、水槽３の底部には、排水弁１２が設けられ、水槽３内の水は、排水弁１２の開閉により排水ホース１３を通って外部へ排水される。
【００２５】
排水弁１２の上流側には、赤外線を発光、受光させ、赤外線の透過度合、変化率により水槽３内の洗濯水の濁度を検知し、衣類の汚れ度合いを検知する濁度検知手段１４が設けられている。
【００２６】
水槽３の外周壁下部には、エアートラップ１５を構成し、空気管１６にて圧力センサーなどで構成された水位検知手段に連接し、水槽３内部に給水された洗濯水の水圧により複数段の水位を検知する。
【００２７】
外枠５の上部には、上部枠体１８が配設され、上部枠体１８の後部内方には、給水弁１９が設けられ、給水弁１９には、洗剤ケース２０が接続されている。洗剤ケース２０には洗剤収納箱２１が引き出し自在に収納されている。給水弁１９に通電されると、給水された水道水は、洗剤収納箱２１内の洗剤とともに注水口２２から洗濯兼脱水槽１内に給水される。
【００２８】
水槽３の内周壁には、温度を検知する温度検知手段２３が設けられ、給水弁１９から給水される水や行程運転中の洗濯液の温度を検知する。
【００２９】
洗濯兼脱水槽１には、内周壁部に循環水路蓋３１で覆われた循環水路３０が構成されており、循環水路３０の下端部は、パルセータ２の下側空間部と連通しており、上端部には吐水口３２が設けられている。これにより、行程運転時にパルセータ２が回転すると、裏羽根３３によるポンプアップ効果により、水槽３内の洗濯液が循環水路３０内に持ち上がり、吐水口３２から洗濯兼脱水槽１内の洗濯物に上から注ぐようになっている。なお、吐水口３２は図１中では、１ヶ所しか図示していないが、洗濯兼脱水槽１の容量により、複数個設けることができる。
【００３０】
上部枠体１８の略中央部には、洗濯物の投入、取り出しを行なうための蓋体２４が開閉
自在に設けられている。上部枠体１８の前部には、操作表示部２５を配設しており、操作表示部２５は、通常の洗剤濃度より濃い洗剤濃度で洗濯する念入り洗いコースなどの運転コースの設定などを行なう入力設定手段（図示せず）と、入力設定手段の入力設定情報などを表示する表示手段（図示せず）とを備えており、操作表示部２５内方には制御装置２６が設けられている。
【００３１】
図２に示すように、制御装置２６の制御手段２７は、マイクロコンピュータなどで構成し、商用電源から電力が供給されて動作を開始し、水槽３内の水位を検知する水位検知手段１７、給水された水の温度を検知する温度検知手段２３、洗濯兼脱水槽１に投入された布量を検知し判定する布量検知手段２８、各種の設定内容や検知、測定結果を記憶する記憶手段３０などの出力を入力し、操作表示部２５の入力設定手段（図示せず）にて使用者の入力により設定された内容に基づいて、表示手段（図示せず）に設定内容を表示するとともに、双方向サイリスタ、リレーなどにより構成した負荷駆動手段２９を介して、モータ８、給水弁１９、排水弁１２などの動作を制御し、洗い、すすぎ、脱水の各行程を制御する。
【００３２】
以上のように構成された洗濯機において、以下、その動作、作用を説明する。
【００３３】
図３は、本発明の実施の形態における洗濯機の念入り洗いコースにおける動作フローチャート、図４は、同洗濯機の水位と洗剤濃度の関係を表すグラフ図である。
【００３４】
図３、図４において、念入り洗いコースが選択され、洗濯機の運転を開始すると、布量検知手段２８により洗濯兼脱水槽１に投入された洗濯物の量を検知し（ステップＳ１）、操作表示部２５に布量に応じた水位を表示するとともに、布量に応じた水位に対する標準洗剤量の略２倍の洗剤量を表示する（ステップＳ２）。なお、図３、図４では、定格容量の洗濯物が投入され、その容量に合った定格水位が表示された場合の例示している。
【００３５】
使用者が、洗剤ケース２０から洗剤収納箱２１を引き出し、表示された洗剤量を収納してセットすると（ステップＳ３）、給水弁１９が動作して、洗剤と水を混合した洗濯液が注水口２２から洗濯兼脱水槽１内の洗濯物に向かって給水される。
【００３６】
ステップＳ４において、定格水位の略１／２の水位である低水位（図４のａ）まで給水され、同時に洗濯兼脱水槽１を低速で回転させることにより、洗濯兼脱水槽１内の洗濯物に偏りなく洗濯液を供給する（ステップＳ５）。
【００３７】
ステップＳ６において、濁度検知手段１４により、水槽３内の洗濯水の初期濁度を検知し、初期濁度の検出結果は、記憶手段３０に保存する。次に、パルセータ２を駆動させ、初期汚れ落としのための攪拌を行ない（ステップＳ７）、初期汚れ落とし動作を行なった後に、再度洗濯水の濁度を検知し（ステップＳ８）、濁度の検出結果は、記憶手段３０に保存する。
【００３８】
ステップＳ９において、つけおき行程を行なう。つけおき行程では、パルセータ２による攪拌動作と、パルセータ２の回転を停止させて洗濯物に洗剤を浸透させる動作を繰返し行なう。なお、つけおき行程においては、低水位で、洗剤濃度が濃い状態（図４のＡ）で運転することで、洗濯物とパルセータ２が強く接触することになり、機械力と洗剤力による洗浄効果を高めることができる。
【００３９】
つけおき行程が終わると、定格水位（図４のｂ）まで給水し（ステップＳ１０）、洗い行程へ移行して、洗い行程の前半である洗い撹拌１を行なう（ステップＳ１１）。洗い行程でも、通常洗剤量の２倍の洗剤濃度（図４のＢ）で攪拌を行なうので、つけおき行程に
おける洗剤濃度よりは低いが、高い洗剤濃度で攪拌を行うことになり、洗浄効果を高めることができる。
【００４０】
次に、ステップＳ１２において、濁度検知手段１４により水槽３内の洗濯水の濁度を検知し、ステップＳ１３において、温度検知手段２３により水槽３内の洗濯水の温度を検知する。濁度と水温の検知結果は、記憶手段３０に保存する。
【００４１】
ステップＳ１４において、ステップＳ６の濁度検知１とステップＳ１２の濁度検知３の結果から洗濯水の汚れ量を判定する。汚れ量が多いと判定した時（ステップＳ１４のＹＥＳ）には、汚れが洗濯物に再付着するのを抑制するために、排水弁１２を駆動して水槽３内の洗濯水を多く排水し（ステップＳ１６）、排水後、排水した水量の水を給水する（ステップＳ１９）。本実施の形態では、排水する水量は、水槽３内の水量の略２／３である。
【００４２】
ステップＳ１４において、汚れ量が少ないと判定した時（ステップＳ１４のＮＯ）は、ステップＳ６の濁度検知１とステップＳ８の濁度検知２の結果から洗濯水の洗剤量、つまり泡立ちが多いか少ないかを判定する。
【００４３】
洗剤投入量が、布量検知（ステップＳ１）の後に操作表示部２５で表示（ステップＳ２）した量より少なく、泡立ちが少ないと判定した時には、洗濯物への汚れ再付着防止のために、洗剤分を排水しすぎないように、少なく排水（ステップＳ１７）し、排水後、排水した水量の水を給水する（ステップＳ１９）。本実施の形態では、排水する水量は、水槽３内の水量の略１／３である。
【００４４】
ステップＳ１５において、洗剤量は少なくない、即ち、泡立ちが適量であると判定した時（ステップＳ１５のＮＯ）は、通常の排水（図４のｃ）、ここでは、水槽３内の水量の略１／２を排水（ステップＳ１８）し、排水後、排水した水量の水を給水する（図４のｃ、ステップＳ１９）。この時、洗剤濃度は、通常の濃度（図４のＣ）になる。
【００４５】
次に、以降の洗い攪拌での泡立ちを調整するために、温度検知手段２３により洗濯水の温度を検知する（ステップＳ２０）。水温が高いと判定した時（ステップＳ２０のＹＥＳ）には、攪拌の強さを弱くして、洗い行程の後半である洗い攪拌２を行なう（ステップＳ２１）。水温が高くないと判定した時（ステップＳ２０のＮＯ）には、通常の攪拌の強さにより、洗い行程の後半である洗い攪拌２を行なう（ステップＳ２２）。洗い撹拌２が終了すると、すすぎ行程（ステップＳ２３）へ移行し、行程が進んでいく。
【００４６】
以上のように、本実施の形態においては、念入り洗いコースにおいて、布量検知手段２８にて検知した布量に対応する水位と、水位に対応する標準洗剤量の略２倍の洗剤量とを表示するとともに、前記水位の略１／２まで洗剤と共に給水しながら前記洗濯兼脱水槽１を所定時間回転させた後、前記パルセータ２による攪拌動作を行ない、その後、所定のつけおき行程を行なった後、洗い行程において、布量に対応した水位まで給水して運転する構成とすることにより、低水位の洗剤濃度が濃い状態で運転することで、洗濯物に洗剤液が十分浸透した後、洗濯物とパルセータ２が強く接触することとなり、製造原価を抑えつつ、機械力と洗剤力により洗浄効果を高めることができる。
【００４７】
また、念入り洗いコースの洗い行程において、濁度検知手段１４にて検知した結果により、所定量の排水を行なった後、排水前の水位まで給水して再度洗い行程を行なう構成とすることにより、汚れが洗濯物に再付着するのを抑制し、洗浄効果を高めることができる。
【００４８】
また、念入り洗いコースの洗い行程において、温度検知手段２３にて検知した水槽３内の洗濯液の温度検知結果により、モータ８による攪拌強さを可変する構成とすることにより、槽内での泡立ちを抑制しつつ、低い消費電力で、洗浄効果を高めることができる。
【産業上の利用可能性】
【００４９】
以上のように、本発明にかかる洗濯機は、洗い行程前のつけおき行程において、低水位で、洗剤濃度が濃い状態で運転することで、製造原価を抑えつつ、機械力と洗剤力により洗浄効果を高めることができるので、他の洗濯機の用途にも適用できる。
【符号の説明】
【００５０】
１  洗濯兼脱水槽
２  パルセータ
３  水槽
５  外枠
８  モータ
１２  排水弁
１４  濁度検知手段
１７  水位検知手段
１８  上部枠体
１９  給水弁
２０  洗剤ケース
２１  洗剤収納箱
２３  温度検知手段
２５  操作表示部
２７  制御手段
２８  布量検知手段
【図１】
2017205340.tif 000003
【図２】
2017205340.tif 000004
【図３】
2017205340.tif 000005
【図４】
2017205340.tif 000006
【図５】
2017205340.tif 000007
【図６】
2017205340.tif 000008